(57)【要約】【課題】缶容器に付属して提供され、景品が収容される缶容器付属物品において、消費者の手に渡るまでの間における破損や不具合の発生を防ぐことができ、ディスプレイ性とコレクション性の高い缶容器付属物品、及び該缶容器付属物品を付けられた缶飲料を提供する。【解決手段】景品４の出し入れのための開口部１ｆが形成された景品収容部１ａと、前記開口部１ｆの周囲に形成され前記缶容器５０の上端周縁に係合するキャップ部１ｂと、前記開口部１ｆを塞ぐ蓋として機能すると共に前記景品４を展示の際には景品４の展示台として機能する台座２とを備え、前記台座３には、他の台座３と連結するための複数の連結部２ｂ、２ｃと、景品４を支持するための支持部２ａとが形成され、前記台座２により前記開口部１ｆを塞ぎ、前記キャップ部１ｂを缶容器５０に係合した状態で、前記連結部２ｂ、２ｃと支持部２ａとを有する前記台座２は外に露出されない。【選択図】図２
0003132472.tif 000002
【実用新案登録請求の範囲】
【請求項１】
景品が収容される缶容器付属物品であって、
前記景品を収容すると共に景品の出し入れのための開口部が形成された景品収容部と、前記開口部の周囲に形成され缶容器の上端周縁に係合するキャップ部と、前記開口部に対し着脱可能に設けられ、前記開口部を塞ぐ蓋として機能すると共に前記景品を展示の際には景品の展示台として機能する台座とを備え、
前記台座には、他の台座と連結するための複数の連結部と、景品を支持するための支持部とが形成され、
前記台座により前記開口部を塞ぎ、前記キャップ部を缶容器に係合した状態で、前記連結部と支持部とを有する前記台座は外に露出されないことを特徴とする缶容器付属物品。
【請求項２】
摘み部と係止部とを有するタブ部材を備え、
前記台座には台座面を直交する貫通孔が形成され、
前記タブ部材は、前記摘み部が前記貫通孔に挿入され、前記係止部が台座面に係止されて設けられることを特徴とする請求項１に記載された缶容器付属物品。
【請求項３】
前記景品には突起部が形成され、
前記景品は、前記突起部を前記タブ部材が取り外された前記台座の貫通孔に嵌合することにより支持されることを特徴とする請求項２に記載された缶容器付属物品。
【請求項４】
請求項１乃至請求項３のいずれかに記載の缶容器付属物品が、缶容器の上端部に設けられた缶飲料。
【考案の詳細な説明】
【技術分野】
【０００１】
本考案は、缶飲料等の缶容器に付属して提供される缶容器付属物品、及び該缶容器付属物品を付けられた缶飲料に関する。
【背景技術】
【０００２】
例えば飲料商品の販売促進用として、キャラクターグッズ等の景品が飲料容器に付属して販売されることがある。缶飲料の場合、缶容器と略同径の円筒形容器が缶容器の上部周縁に装着され、その円筒形容器中に景品が収容されている。このようにすることで、コンビニエンスストア等での陳列販売だけでなく、従来の自動販売機による販売が可能であり、販売促進効果を得ることができる。
【０００３】
ところで、前記のように缶容器上部に取り付けられる景品の収容容器は、従来、中の景品を取り出した後は、ゴミとして破棄される場合が多い。そこで、特許文献１（特開２００４−８３１０９号公報）には、景品としての魅力、価値を向上させるため、収容容器を景品の展示台として利用する形態が開示されている。
【０００４】
図１２（ａ）に、特許文献１に開示される景品収容容器の平面図、図１２（ｂ）に図１２（ａ）のＡ−Ａ矢視断面図を示す。図示するように、円筒形の容器２００の上面に、景品であるフィギュア（の足）を固定するための凹部２００ａが形成されている。即ち、容器２００上にフィギュアを固定して飾ることができ、これによりディスプレイ効果が生まれるようになされている。
【０００５】
さらに、特許文献１においては、図１３の平面図に示すように、容器２００の周部に複数の凸部２００ｂと凹部２００ｃとを形成し、同様に形成された他の容器の凹部２００ｃと凸部２００ｂとに対し夫々係合させることにより複数の容器２００を連結する形態も示されている。このようにすれば、コレクション性をより向上することができ、更なる販売促進効果を得ることが期待できる。
【特許文献１】特開２００４−８３１０９号公報
【考案の開示】
【考案が解決しようとする課題】
【０００６】
前記特許文献１によれば、景品収容容器をディスプレイのために有効的に利用することができ、さらに複数の容器を連結することによってコレクション性を向上することができる。
しかしながら、図１２に示したような景品を固定するための凹部２００ａは、容器２００が缶容器に装着された状態で外面に露出されているため、消費者の手に渡るまでに凹部２００ａにゴミや埃等が蓄積する虞があり、それらを完全に除去できない場合には、フィギュア等の景品の固定性、安定性が低下する不具合が生じるおそれがあった。
また、容器２００が缶容器に装着された状態で、図１３に示すように凸部２００ｂや凹部２００ｃが突出した状態で露出していると、商品運搬時や自動販売機内部において、他の缶容器や物品等と接触し破損するという課題があった。
【０００７】
本考案は、前記したような事情の下になされたものであり、缶容器に付属して提供され、景品が収容される缶容器付属物品において、消費者の手に渡るまでの間における破損や不具合の発生を防ぐことができ、ディスプレイ性とコレクション性の高い缶容器付属物品、及び該缶容器付属物品を付けられた缶飲料を提供することを目的とする。
【課題を解決するための手段】
【０００８】
前記した課題を解決するために、本考案に係る缶容器付属物品は、景品が収容される缶容器付属物品であって、前記景品を収容すると共に景品の出し入れのための開口部が形成された景品収容部と、前記開口部の周囲に形成され前記缶容器の上端周縁に係合するキャップ部と、前記開口部に対し着脱可能に設けられ、前記開口部を塞ぐ蓋として機能すると共に前記景品を展示の際には景品の展示台として機能する台座とを備え、前記台座には、他の台座と連結するための複数の連結部と、景品を支持するための支持部とが形成され、前記台座により前記開口部を塞ぎ、前記キャップ部を缶容器に係合した状態で、前記連結部と支持部とを有する前記台座は外に露出されないことに特徴を有する。
【０００９】
このように構成することにより、本考案に係る缶容器付属物品が消費者の手に渡るまでに、台座に形成された連結部や支持部が他の缶容器や物品等と接触することがなく、その破損を防止することができる。また、景品の支持部が孔であった場合にゴミや埃が詰まることがなく、景品を支持する際の固定性、安定性の低下といった不具合発生を回避することができる。したがって、消費者は、常に破損や不具合がなく、ディスプレイ性、コレクション性の高い缶容器付属物品を得ることができる。
【００１０】
また、摘み部と係止部とを有するタブ部材を備え、前記台座には台座面を直交する貫通孔が形成され、前記タブ部材は、前記摘み部が前記貫通孔に挿入され、前記係止部が台座面に係止されて設けられることが望ましい。
このように構成すれば、タブ部材の摘み部を摘んで引上げることにより、容易に蓋としての台座を取り外すことができ、景品収容部内の景品を取り出すことが出来る。
【００１１】
また、前記景品には突起部が形成され、前記景品は、前記突起部を前記タブ部材が取り外された前記台座の貫通孔に嵌合することにより支持されることが望ましい。
このようにすれば、台座を展示台として使用する場合に、台座の貫通孔を有効利用することができる。
【００１２】
また、本考案に係る缶飲料は、前記缶容器付属物品が缶容器の上端部に設けられることに特徴を有する。
【考案の効果】
【００１３】
本考案によれば、缶容器に付属して提供され、景品が収容される缶容器付属物品において、消費者の手に渡るまでの間における破損や不具合の発生を防ぐことができ、ディスプレイ性とコレクション性の高い缶容器付属物品、及び該缶容器付属物品を付けられた缶飲料を得ることができる。
【考案を実施するための最良の形態】
【００１４】
以下、本考案の実施の形態を図面に基づき説明する。図１は本考案の缶容器付属物品を缶容器に取り付けた状態を示す斜視図である。図２は、図１の缶容器付属物品を缶容器から取り外し、裏返しにした状態を示す斜視図である。図３は、図２の状態から蓋としての台座を取り外した状態を示す図である。また、図４は、前記台座の斜視図である。
【００１５】
缶容器付属物品１００は、図１に示すように缶飲料の缶容器５０の上部に装着された状態で消費者に提供される。この缶容器付属物品１００は、景品容器１を備え、景品容器１は、景品を収容するため六角筒状に形成された景品収容部１ａと、缶容器５０の上部周縁に係合するキャップ部１ｂとで構成される。
【００１６】
図示するように、キャップ部１ｂは、缶容器５０の上部を浅く覆うように形成されており、缶容器４０の上部周縁に対して、図２に示すような複数の突起１ｃにより係合するようになされている。
また、図３に示すように、景品収容部１ａには、景品を取り出すための開口部１ｆが形成され、景品容器１を缶容器５０から取り外した状態では、図２に示すように開口部１ｆは景品を展示の際に使用する台座２により塞がれている。即ち、台座２は開口部１ｆを塞ぐ蓋として機能している。そして、図示するように、台座２の周囲に前記キャップ部１ｂが形成され、キャップ部１ｂと缶容器５０の上部周縁とが係合した状態で、台座２が外に露出しないようになされている。
【００１７】
また、図４に示すように台座２は六角形状の板として形成されており、その各辺には凸部２ｂまたは凹部２ｃが形成されている。これら凸部２ｂ、凹部２ｃは、後述するように他の台座２との連結部となるが、台座２を蓋部として開口部１ｆを塞ぐ際には、支持手段として利用される。
即ち、図３に示すように開口部１ｆも六角形状に形成され、その各辺において、台座２の凸部２ｂに対応する部位には凸部２ｂに係合する凹部１ｄが形成される。一方、台座２の凹部２ｃに対応する部位には凹部２ｃに係合する支持突起１ｅが形成されている。
したがって台座２により開口部１ｆを塞ぐ場合、開口部１ｆの凹部１ｄに台座２の凸部２ｂが係合し、支持突起１ｅに台座２の凹部２ｃが係合して台座２全体が支持されるようになされている。
【００１８】
また、開口部１ｆが台座２により塞がれた状態で、台座２の略中央には、図２に示すようにタブ３（タブ部材）が突出して設けられており、このタブ３を摘んで持ち上げることにより、蓋として機能していた台座２が容易に外れるようになされている。したがって、この台座２を外すと、図３に示すように景品である衝立４等が取り出し可能となる。
尚、タブ３は、図５（ａ）に示すように、摘み部３ａと、それより幅広の係止部３ｂとからなる。図５（ｂ）に示すように、台座２には台座面を直交する方向に横長の環通孔２ａが形成されており、摘み部３ａを台座２の環通孔２ａに挿入し、係止部３ｂが台座面に係止されることによりタブ３が設けられる。
【００１９】
台座２を景品展示のための展示台として機能させる場合には、タブ３を台座２から引き抜くことにより、図４に示した状態となり、これを展示台として使用する。この場合、台座２の略中央に形成された環通孔２ａには、景品として収容されていた衝立４の突起部４ａ（図６（ａ）参照）が嵌合するようになされている。即ち、タブ３を取り付けるための貫通孔２ａが、景品を台座２上に支持するための支持部として機能する。
【００２０】
また、景品収容部１ａには、景品として衝立４の他、図６（ｂ）に示すようなフィギュア５が収容されている。このフィギュア５は、表側が立体的な形状であって、裏側は平面状に形成される。そして、その裏側の平面部分には、図示しない突起部が形成され、その突起部を図６（ａ）に示す衝立に形成された孔４ｂに嵌合することにより衝立４とフィギュア５による一体的な装飾物が出来上がるようになされている。
【００２１】
ここで、図７に台座２により支持された衝立４とフィギュア５の正面図を示し、図８にその側面図を示し、図９にその平面図を示す。
尚、図７に示すように衝立４には、フィギュア５に合わせたイラスト４ｃが描かれている。このイラスト４ｃは、衝立４の表面に直接、塗料により形成されてもよいし、シール貼付により形成されてもよい。また、図示しないが、台座２の上面にイラスト等を描き、より装飾することも可能である。
また、このように缶容器付属物品１００に含まれる景品は、単に台座２上に支持された状態でディスプレイされてもよいが、図１０に示すように台座２を景品容器１の開口部１ｆ上に蓋として置いてディスプレイされてもよい。このようにすれば、より高さを有する台座を得ることができ、ディスプレイ効果を向上することができる。
尚、図示しないが、景品容器１の側面においても、フィギュア５に対応したイラストや各種情報等をシール等により形成し装飾することが可能である。
【００２２】
また、前記したように、台座２は、景品収容部１ａの開口部１ｆの形状に合わせて六角形に形成され、その六辺のうち片側の三辺は連結部としての凸部２ｂが夫々形成され、他方側の三辺には連結部としての凹部２ｃが夫々形成されている。
即ち、これら凸部２ｂと凹部２ｃとによる連結部を他の台座２の対応する連結部と係合することにより図１１に示すように複数の台座２を自在に連結してディスプレイすることができ、視覚上のディスプレイ効果とコレクション性とを向上することができる。また、その結果として、販売促進効果を向上することができる。
【００２３】
以上のように、本考案に係る実施の形態によれば、缶容器付属物品１００を缶容器５０に取り付けた状態、即ちキャップ部１ｂを缶容器５０の上部周縁に係合した状態で、連結部（凸部２ｂ、凹部２ｃ）と支持部（貫通孔２ａ）とを有する台座２が外に露出しないようになされている。
即ち、缶容器付属物品１００が消費者の手に渡るまでに、台座２に形成された凸部２ｂ、凹部２ｃ、貫通孔２ａが他の缶容器や物品等と接触することがなく、その破損を防止することができる。また、衝立４を支持する支持部としての貫通孔２ａにゴミや埃が詰まることがなく、衝立４を支持する際の固定性、安定性の低下といった不具合発生を回避することができる。したがって、消費者は、破損や不具合がなく、ディスプレイ性、コレクション性の高い缶容器付属物品１００を得ることができる。
さらに、台座２の貫通孔２ａは、衝立４と嵌合し支持するために利用されるが、台座２を蓋として使用する場合にはタブ３取り付けに利用することができ、その場合、台座２を景品容器１から取り外す作業を容易にすることができる。
【００２４】
尚、前記実施の形態においては、台座２の形状を六角形としたが、それに限定されず円形や他の多角形により形成されてもよい。
また、フィギュア５を衝立４に固定する方法として、フィギュア５の突起を衝立４の孔４ｂに嵌合する例を示したが、それに限らず接着剤等により貼付される形態であってもよい。
【産業上の利用可能性】
【００２５】
本考案は、缶飲料等の付属品として、缶容器の上部に取り付けられて提供される缶容器付属物品、及び該缶容器付属物品を付けられた缶飲料に適用される。
【図面の簡単な説明】
【００２６】
【図１】図１は、本考案の缶容器付属物品を缶容器に取り付けた状態を示す斜視図である。
【図２】図２は、図１の缶容器付属物品を缶容器から取り外し、裏返しにした状態を示す斜視図である。
【図３】図３は、図２の状態から蓋としての台座を取り外した状態を示す斜視図である。
【図４】図４は、展示台として使用する台座を示す斜視図である。
【図５】図５は、台座を蓋として使用する際に使用するタブと、その取り付け状態を示す図である。
【図６】図６は、景品としての衝立とフィギュアを示す図である。
【図７】図７は、景品を台座により支持した状態を示す正面図である。
【図８】図８は、図７の側面図である。
【図９】図９は、図７の平面図である。
【図１０】図１０は、景品容器上に台座を載せ、景品をディスプレイした状態を示す斜視図である。
【図１１】図１１は、複数の台座を連結してディスプレイする状態を示した斜視図である。
【図１２】図１２は、従来の景品収容容器を示す図である。
【図１３】図１３は、連結部が設けられた従来の景品収容容器を示す図である。
【符号の説明】
【００２７】
１        景品容器
１ａ      景品収容部
１ｂ      キャップ部
１ｃ      突起
１ｄ      凹部
１ｅ      支持突起
１ｆ      開口部
２        台座
２ａ      貫通孔（支持部）
２ｂ      凸部（連結部）
２ｃ      凹部（連結部）
３        タブ（タブ部材）
３ａ      摘み部
３ｂ      係止部
４        衝立（景品）
５        フィギュア（景品）
１００    缶容器付属物品
【図１】
0003132472.tif 000003
【図２】
0003132472.tif 000004
【図３】
0003132472.tif 000005
【図４】
0003132472.tif 000006
【図５】
0003132472.tif 000007
【図６】
0003132472.tif 000008
【図７】
0003132472.tif 000009
【図８】
0003132472.tif 000010
【図９】
0003132472.tif 000011
【図１０】
0003132472.tif 000012
【図１１】
0003132472.tif 000013
【図１２】
0003132472.tif 000014
【図１３】
0003132472.tif 000015